(57)【要約】      （修正有）【課題】１５０℃以上の高温度下において３０００以上の高い誘電率を有し、さらに直流印加電界２Ｖ／μｍにおける比誘電率が実用上十分大きい誘電体磁器組成物と、その誘電体磁器組成物を用いた誘電体素子の提供。【解決手段】下記式（１）で表される複合酸化物である誘電体磁器組成物。｛［（ＢｉｓＮａｔ）ａ（ＢｉｕＫｖ）ｂＢａｃ］１−ｄＮａｄ｝ｘＴｉ１−ｄＮｂｄＯ３…（１）［式（１）中、ａ、ｂ、ｃ、ｄ、ｓ、ｔ、ｕ、ｖ及びｘは、それぞれ、下記式を満たす数である。］０．２０≦ａ＜０．９５、０．００＜ｂ≦０．５０、０．２０＜ａ＜０．７０のとき、ｂ＜（１．２０−ａ）／２、０．０５≦ｃ＜０．６０、０．２０＜ａ＜０．７０のとき、ｃ＞（０．８０−ａ）／２、ａ＋ｂ＋ｃ＝１、０．０２≦ｄ＜０．１０、０．９０≦ｓ＋ｕ≦１．００、０．４５≦ｔ≦０．５０、０．４５≦ｖ≦０．５０、０．９５≦ｘ≦１．０５【選択図】図１
2014189443.tif 000002
【特許請求の範囲】
【請求項１】
下記一般式（１）の組成を有することを特徴とする誘電体磁器組成物。
｛［（ＢｉｓＮａｔ）ａ  （ＢｉｕＫｖ）ｂＢａｃ］１−ｄＡｄ｝ｘＴｉ１−ｄＮｂｄＯ３…（１）
式（１）中、ＡはＬｉ、Ｎａ、Ｋから選ばれる少なくとも一種の元素を示す。ａ、ｂ、ｃ、ｄ、ｓ、ｔ、ｕ、ｖ及びｘは、それぞれ、下記式を満たす数である。
０．２０≦ａ＜０．９５
０．００＜ｂ≦０．５０
０．２０＜ａ＜０．７０のとき、ｂ＜（１．２０−ａ）／２
０．０５≦ｃ＜０．６０
０．２０＜ａ＜０．７０のとき、ｃ＞（０．８０−ａ）／２
ａ＋ｂ＋ｃ＝１
０．０２≦ｄ＜０．１０
０．９０≦ｓ＋ｕ≦１．００
０．４５≦ｔ≦０．５０
０．４５≦ｖ≦０．５０
０．９５≦ｘ≦１．０５
【請求項２】
請求項１に記載の誘電体磁器組成物を備える誘電体素子。
【発明の詳細な説明】
【技術分野】
【０００１】
本発明は、誘電体磁器組成物およびこれを用いた電子部品に係り、さらに詳しくは、比較的に定格電圧が高い中高圧用途に好適に用いられる誘電体磁器組成物および誘電体素子に関する。
【背景技術】
【０００２】
近年、電子回路の高密度化に伴う電子部品の小型化に対する要求は高く、積層セラミックコンデンサの小型・大容量化が急速に進むとともに、用途も拡大し、要求される特性は様々である。
【０００３】
例えば、ＥＣＭ（エンジンエレクトリックコンピュータモジュール）、燃料噴射装置、電子制御スロットル、インバータ、コンバータ、ＨＩＤヘッドランプユニット、ハイブリッドエンジンのバッテリコントロールユニット、デジタルスチールカメラ等の機器に用いられる定格電圧が１００Ｖを超えるような中高圧用コンデンサには、高い電界強度下において高い静電容量が要求される。
【０００４】
しかしながら、従来の誘電体セラミック組成物は、例えば１Ｖ／μｍ程度の低電界強度の直流電圧下で使用されることを前提に設計されていたので、用いられる積層セラミックコンデンサの薄層化が進んで、高い電界強度下で使用されると、印加直流電界に対する静電容量の変化率（以下ＤＣバイアス変化率）が大きくなり、実効容量が低下するという問題があった。
【０００５】
ＤＣバイアス変化率が大きいと、積層セラミックコンデンサの実効容量が低下してしまい、設計の段階で必要としていた静電容量を満たさなくなるため、それが用いられている電子機器の動作が不安定になり、延いては動作しなくなるという不具合が発生することが懸念される。
【０００６】
また、このような積層セラミックコンデンサを中高圧用コンデンサとして用いる場合、電子部品の高密度の実装により生じる発熱や、自動車用電子部品に代表される過酷な使用環境が問題となるため、印加直流電圧（ＤＣバイアス）が印可された状態で、１５０℃以上の高温度下においても高い静電容量を得ることが望まれるようになってきている。
【０００７】
したがって、高電界下での利用を目的としたコンデンサにはＤＣバイアス変化率が小さい、つまり高電界印加時の比誘電率が実用上十分大きく、１５０℃以上の高温度下においても高い比誘電率を有する誘電体磁器組成物を用いることが望ましい。なお、ここで言う高電界とはたとえば２Ｖ／μｍの電界強度、高い比誘電率とは例えば２０００を指す。
【０００８】
このような課題を解決するべく、下記の特許文献１では、金属元素として少なくともＳｒ、Ｂａ、Ｐｂ、Ｂｉ、Ｔｉを含有し、これらの金属元素の原子比による組成式を（Ｓｒ１−ｖ−ｗ−ｘ−ｙＢａｖＣａｗＰｂｘＢｉｙ）ＴｉｚＯ３＋ａと表した時、前記ｖ、ｗ、ｘ、ｙおよびｚが
０．０１≦ｖ≦０．０５
０  ≦ｗ≦０．２０
０．０５≦ｘ≦０．２０
０．０１≦ｙ≦０．３０
１．００≦ｚ≦１．２０
ｖ＋ｗ＋ｘ＋ｙ≦０．５０
ａは過剰酸素量を満足するものを主成分とし、この主成分１００重量部に対して、ＬｉおよびＢのうち少なくとも１種を含有するガラス成分を０．１〜１０．０重量部の割合で含有し、かつペロブスカイト型結晶相を主結晶相とする誘電体磁器組成物が開示されている。
【０００９】
しかしながら、特許文献１に示すような誘電体磁器組成物は、２Ｖ／μｍのＤＣバイアス印加による比誘電率の変化率が−１０％以内と良好であるが、比誘電率が１５００程度と比較的小さいことが問題となっていた。また、８５℃までの温度変化率しか記載されておらず、高温での使用を目的としていない。
【先行技術文献】
【特許文献】
【００１０】
【特許文献１】特開平１１−２１９８４４号公報
【発明の概要】
【発明が解決しようとする課題】
【００１１】
本発明は、このような実状に鑑みてなされ、その目的は、比較的に定格電圧が高い中高圧用途に好適に用いられ、１５０℃以上の高温度下において３０００以上の高い誘電率を有し、さらに直流印加電界２Ｖ／μｍにおける比誘電率が実用上十分大きい誘電体磁器組成物と、その誘電体磁器組成物を用いた誘電体素子を提供することである
【課題を解決するための手段】
【００１２】
上記目的を達成するため、本発明は、下記式（１）で表される複合酸化物である誘電体磁器組成物を提供する。
【００１３】
｛［（ＢｉｓＮａｔ）ａ  （ＢｉｕＫｖ）ｂＢａｃ］１−ｄＡｄ｝ｘＴｉ１−ｄＮｂｄＯ３…（１）
式（１）中、ＡはＬｉ、Ｎａ、Ｋから選ばれる少なくとも一種の元素を示す。ａ、ｂ、ｃ、ｄ、ｓ、ｔ、ｕ、ｖ及びｘは、それぞれ、下記式を満たす数である。
【００１４】
０．２０≦ａ＜０．９５
０．００＜ｂ≦０．５０
０．２０＜ａ＜０．７０のとき、ｂ＜（１．２０−ａ）／２
０．０５≦ｃ＜０．６０
０．２０＜ａ＜０．７０のとき、ｃ＞（０．８０−ａ）／２
ａ＋ｂ＋ｃ＝１
０．０２≦ｄ＜０．１０
０．９０≦ｓ＋ｕ≦１．００
０．４５≦ｔ≦０．５０
０．４５≦ｖ≦０．５０
０．９５≦ｘ≦１．０５
【００１５】
本発明の誘電体磁器組成物は、上記構成を有することにより、１５０℃以上の高温度下において３０００以上の高い誘電率を有し、さらに直流印加電界２Ｖ／μｍにおける比誘電率が２０００以上と高い比誘電率を得られる。
【００１６】
また、本発明は、上記誘電体磁器組成物を備える誘電体素子を提供する。
【００１７】
このような誘電体素子は上記誘電体磁器組成物を備えるため、高電界を印加した場合に大きな誘電率を必要とする、例えば高電界印加回路に使用される回路保護用などのコンデンサに有用である。
【発明の効果】
【００１８】
本発明によれば、比較的に定格電圧が高い中高圧用途に好適に用いられ、１５０℃以上の高温度下において３０００以上の高い誘電率を有し、さらに直流印加電界２Ｖ／μｍにおける比誘電率が実用上十分大きい誘電体磁器組成物と、その誘電体磁器組成物を用いた誘電体素子を提供することができる。
【図面の簡単な説明】
【００１９】
【図１】本発明に係る誘電体素子の好適な一実施形態である。
【図２】本発明に係る誘電体素子の別の実施形態を示す断面図である。
【発明を実施するための形態】
【００２０】
以下、場合により図面を参照して、本発明の好適な実施形態について説明する。なお、各図面において、同一または同等の要素には同一の符号を付与し、重複する説明を省略する。
【００２１】
図１は本発明に係る誘電体素子の好適な一実施形態である。図１に示す誘電体素子１００は、円盤状の誘電体１と、この誘電体１の両面に形成された一対の電極２および３を備えたコンデンサを形成している。
【００２２】
誘電体１は、下記式（１）で示される誘電体磁器組成物で形成される。
【００２３】
｛［（ＢｉｓＮａｔ）ａ  （ＢｉｕＫｖ）ｂＢａｃ］１−ｄＡｄ｝ｘＴｉ１−ｄＮｂｄＯ３…（１）
【００２４】
式（１）中、ＡはＬｉ、Ｎａ、Ｋから選ばれる少なくとも一種の元素を示す。ａ、ｂ、ｃ、ｄ、ｓ、ｔ、ｕ、ｖ及びｘは、それぞれ、下記式を満たす数である。
【００２５】
０．２０≦ａ＜０．９５
０．００＜ｂ≦０．５０
０．２０＜ａ＜０．７０のとき、ｂ＜（１．２０−ａ）／２
０．０５≦ｃ＜０．６０
０．２０＜ａ＜０．７０のとき、ｃ＞（０．８０−ａ）／２
ａ＋ｂ＋ｃ＝１
０．０２≦ｄ＜０．１０
０．９０≦ｓ＋ｕ≦１．００
０．４５≦ｔ≦０．５０
０．４５≦ｖ≦０．５０
０．９５≦ｘ≦１．０５
【００２６】
このような誘電体磁器組成物は、上記構成を有することにより、高電界を印加した場合でも大きな比誘電率を得られる。
【００２７】
本発明の誘電体磁器は強誘電体組成物の組み合わせであり、この特定の組み合わせを有することにより１５０℃における比誘電率が３０００以上でＤＣバイアス特性が良好な誘電体磁器組成物を得られる。
【００２８】
ａ、ｂ、ｃが上記範囲をはずれると、１５０℃における比誘電率が３０００未満となってしまったり、ＤＣバイアス特性が悪くなってしまったり、耐電圧が低くなってしまうため好ましくない。
【００２９】
ｄが０．０２未満ではＤＣバイアス特性が悪くなってしまい、０．１０以上では１５０℃における誘電率が３０００未満となってしまうため好ましくない。
【００３０】
ｓ＋ｕ、ｔ、ｖが上記範囲を外れると欠陥が生成されたり、十分な焼結密度が得られず、電荷のリークが生じたり、耐電圧が低くなってしまうため好ましくない。
【００３１】
ｘが０．９５未満又は１．０５を超えると十分な焼結密度を得られず、絶縁抵抗が低くなるため、高電界を印加して使用することは困難になる。
【００３２】
誘電体磁器組成物として実用に十分な誘電率が得られる等の観点から、式（１）で表される複合酸化物の含有量は、誘電体磁器組成物全体を基準として、９０質量％以上であることが好ましく、作製プロセス上混入する可能性があるＰ、Ｚｒなどの不純物を含んでいても良い。
【００３３】
ここで、誘電体磁器組成物の組成は、例えば、蛍光Ｘ線分析やＩＣＰ発光分光分析で測定することができる。
【００３４】
上記誘電体磁器組成物の相対密度は、９５％以上の相対密度を有することが好ましい。ここで、本明細書において、相対密度とは、理論密度に対する、密度の実測値をいう。なお、理論密度は、Ｘ線回折によって求めた格子定数と、完全結晶を仮定して求めた量論比により計算される。誘電体磁器組成物の相対密度は、例えば、アルキメデス法によって測定することができる。ここで、誘電体磁器組成物の相対密度は、焼成温度や焼成時間を変えることによって調整することができる。
【００３５】
次に、図１に示す誘電体素子の製造方法の一例について以下に説明する。
【００３６】
まず、誘電体１の出発原料として、酸化ビスマス（Ｂｉ２Ｏ３）、炭酸ナトリウム（Ｎａ２ＣＯ３）、炭酸カリウム（Ｋ２ＣＯ３）、炭酸バリウム（ＢａＣＯ３）、酸化チタン（ＴｉＯ２）及び酸化二オブ（Ｎｂ２Ｏ５）等の粉末を準備する。
【００３７】
そして、本焼成後の誘電体磁器組成物（焼結体）が、本実施形態に係る誘電体磁器組成物の組成を満たすものとなるように、上記粉末原料を秤量する。
【００３８】
次に、秤量した各原料粉末を、ボールミル等により湿式混合する。そして、湿式混合により得られた混合物を仮焼することにより仮焼物を得る。ここで、仮焼は、通常空気中で施される。また、仮焼温度は７００〜９００℃であることが好ましく、仮焼時間は１〜１０時間が好ましい。
【００３９】
得られた仮焼物を、ボールミル等で湿式粉砕した後、これを乾燥させることにより、仮焼物粉体を得る。次いで、得られた仮焼物粉体に少量の結合剤を添加し、プレス成形することにより、成形体を得る。ここで、成形圧力は５ｔ／ｃｍ２程度であることが好ましい。成形体の形状に特に制限はなく、例えば、平面寸法Φ１７ｍｍ、厚さ１ｍｍ程度の円板状成形体とすることができる。
【００４０】
そして、得られた成形体を焼成することにより誘電体磁器組成物試料を得る。ここで、焼成は、通常空気中で施される。また、焼成温度は９５０〜１３００℃であることが好ましく、焼成時間は２〜１０時間であることが好ましい。
【００４１】
次いで、得られた誘電体磁器組成物試料の両面に、銀等の金属電極を形成する。電極の形成は蒸着、スパッタリング、焼付け、無電解めっき等の方法による。
【００４２】
図２は本発明に係る誘電体素子の別の実施形態を示す断面図である。図２に示す積層型誘電体素子２００は、直方体状の積層体５と、この積層体５の対向する端面にそれぞれ形成された一対の端子電極１１Ａ、１１Ｂとを備えている。
【００４３】
積層体５は、誘電体層７を介して内部電極層（電極層）６Ａ、６Ｂを交互に積層してなる素体８と、この素体８をその積層方向の両端面側（図中上下方向）から挟み込むように設けられた一対の保護層９及び１０とから構成される。素体８においては、誘電体層７と内部電極層６Ａ、６Ｂとが交互に積層されている。
【００４４】
誘電体層７は、本発明に係る誘電体磁器組成物からなる層である。
【００４５】
誘電体層７の１層当たりの厚さは、任意に設定することができるが、例えば１〜１００μｍにすることができる。
【００４６】
内部電極層６Ａ、６Ｂはそれぞれ平行となるように設けられている。内部電極層６Ａは、一方の端部が積層体５における端子電極１１Ａが形成された端面に露出するように形成されている。また、内部電極層６Ｂは、一方の端部が積層体５における端子電極１１Ｂが形成された端面に露出するように形成されている。さらに、内部電極層６Ａと内部電極層６Ｂとは、これらの大部分が積層方向に重なり合うように配置されている。
【００４７】
内部電極層６Ａ、６Ｂの材質としては、例えば、Ａｕ，Ｐｔ若しくはＡｇ等の金属が用いられる。
【００４８】
端子電極１１Ａ，１１Ｂは、これらが設けられている積層体５の端面において、当該端面に露出している内部電極層６Ａ、６Ｂの端部とそれぞれ接している。これにより、端子電極１１Ａ，１１Ｂは、内部電極層６Ａ、６Ｂとそれぞれ電気的に接続される。この端子電極１１Ａ，１１Ｂは、Ａｇ，Ａｕ，Ｃｕ等を主成分とする導電材料から構成することができる。端子電極１１Ａ，１１Ｂの厚さは、用途や積層型誘電素子のサイズ等によって適宜設定されるが、例えば１０〜５０μｍにすることができる。
【００４９】
以上、本実施形態の誘電体磁器組成物および誘電体素子について説明したが、当該誘電体磁器組成物は、１５０℃以上の高温でも高い比誘電率を有し、また高電界を印加した時のＤＣバイアス特性が良好であるため、例えば、比較的に定格電圧が高い中高圧コンデンサに好適に用いることができる。
【００５０】
また、本発明は上記実施形態に限定されるものではない。例えば、上記誘電体素子において、誘電体磁器組成物以外の構成として、公知のものを用いることもできる。また、例えば、上記誘電体素子の製造において、当該仮焼物粉体を水熱合成法等により製造することもできる。また、前駆体として（ＢｉＮａ）ＴｉＯ３、（ＢｉＫ）ＴｉＯ３、ＢａＴｉＯ３、およびＮａＮｂＯ３を作製し、混合、焼結することもできる。
【実施例】
【００５１】
以下、実施例及び比較例を用いて、本発明を更に詳細に説明する。ただし、本発明は以下の実施例に限定されるものではない。
【００５２】
（実施例１〜３５、比較例１〜２３）
誘電体磁器組成物を作製するため、出発原料として、酸化ビスマス（Ｂｉ２Ｏ３）、炭酸ナトリウム（Ｎａ２ＣＯ３）、炭酸カリウム（Ｋ２ＣＯ３）、炭酸バリウム（ＢａＣＯ３）、酸化チタン（ＴｉＯ２）及び酸化二オブ（Ｎｂ２Ｏ５）の粉末を準備した。実施例５については上記に加えさらに炭酸リチウム（Ｌｉ２ＣＯ３）の粉末も準備した。実施例６および実施例７については上記に加えさらに炭酸カリウム（Ｋ２ＣＯ３）の粉末も準備した。
【００５３】
本焼成後の誘電体磁器組成物（焼結体）が、表１の組成を満たすものとなるように、上記粉末原料を秤量した。なお、ここで、表１中のａ、ｂ、ｃ、ｄ、ｓ＋ｕ、ｔ、ｖ及びｘは、それぞれ下記式（１）におけるａ、ｂ、ｃ、ｄ、ｓ＋ｕ、ｔ、ｖ及びｘの数値を示す。実施例５〜７以外の実施例および比較例については、Ａ成分がＮａであり、実施例５はＡ成分がＬｉ、実施例６はＫ、実施例７はＮａおよびＫとなる。
【００５４】
｛［（ＢｉｓＮａｔ）ａ  （ＢｉｕＫｖ）ｂＢａｃ］１−ｄＡｄ｝ｘＴｉ１−ｄＮｂｄＯ３…（１）
【００５５】
次に、秤量した各原料粉末を、ボールミルにより湿式混合した後、得られた混合物を、空気中において８５０℃で２時間仮焼して仮焼物を得た。そして、得られた仮焼物をボールミルで湿式粉砕して、仮焼物粉体を得た。次いで、仮焼物粉体に少量の結合剤を添加し、約５ｔ／ｃｍ２の圧力で成形し、平面寸法Φ１７ｍｍ、厚さ１ｍｍ程度の円板状成形体を得た。
【００５６】
次に、得られた成形体を空気中において、焼成温度９５０〜１３００℃、焼成時間２〜１０時間の範囲で、相対密度９５％となる条件で焼成して、誘電体磁器組成物試料を得た。得られた誘電磁器試料について密度測定を行ったところ、すべての試料の密度が、理論密度に対し９５％以上であった。
【００５７】
得られた誘電体磁器組成物試料の組成を分析したところ、秤量した組成比と等しかった。
【００５８】
得られた誘電体磁器組成物試料の両面にＡｇ電極を蒸着し、誘電体素子を作製した。
【００５９】
得られた各誘電体素子の２Ｖ／μｍ直流印加電界下での比誘電率測定を実施した。
【００６０】
室温および１５０℃での比誘電率、さらに１５０℃かつ２Ｖ／μｍ直流印加電界下での比誘電率を表１に示す。また、表中の棒線部は測定時に電荷がリークしてしまい、値が得られなかったことを示す。また、表中の耐電圧試験の項で、絶縁破壊しなかったものは○、絶縁破壊したものは×で示した。１５０℃での比誘電率が３０００以上、かつ２Ｖ／μｍの直流印加電界下での比誘電率が２０００以上であるものを良好と判断した。
【表１】
2014189443.tif 000003
2014189443.tif 000004
【００６１】
以上より、実施例０１〜３５の誘電体磁器組成物は高電界印加時の誘電率が実用上十分大きく、１５０℃以上の高温度下においても高い誘電率を有することを確認した。
【符号の説明】
【００６２】
１…誘電体、２，３…電極、５…積層体、６Ａ、６Ｂ…内部電極層、７…誘電体層、８…素体、９、１０…保護層、１１Ａ，１１Ｂ…端子電極、１００…誘電体素子、２００…積層誘電体素子
【図１】
2014189443.tif 000005
【図２】
2014189443.tif 000006